(57)【要約】      （修正有）【課題】構造が簡素で耐久性が高く、熱の滞留を抑制できるマスク用補助具を提供する。【解決手段】マスク用補助具１００は、マスク本体２００の内側で口元を覆い、上方の縁１０３が上唇と鼻孔との間に位置した椀状部材１０１と、椀状部材の下方に設けられ、呼気をマスク本体の外部へと排出させる開放部１０５と、を備える。【選択図】図５
0003227868.tif 000002
【実用新案登録請求の範囲】
【請求項１】
マスク本体の内側で口元を覆い、上方の縁が上唇と鼻孔との間に位置した椀状部材と、
前記椀状部材の下方に設けられ、呼気を上記マスク本体の外部へと排出させる開放部と、
を備えたことを特徴とするマスク用補助具。
【請求項２】
前記椀状部材の下方に張り掛けられて顎と接触することで当該椀状部材の下部を当該顎から離間させて前記開放部を形成する帯状部材を更に備えたことを特徴とする請求項１に記載のマスク用補助具。
【請求項３】
前記椀状部材が発泡樹脂からなることを特徴とする請求項１または２に記載のマスク用補助具。
【考案の詳細な説明】
【技術分野】
【０００１】
本発明は、マスク用補助具に関する。
【背景技術】
【０００２】
従来、飛沫感染・空気中の浮遊飛沫核感染を防ぐマスクが知られている。
例えば特許文献１には、鼻と口の間に通気性ある枕状円筒形の枕を十二・三枚重ねの厚いガ−ゼの中央に縫合し、更に、枕状円筒形の枕に気密性の高い布・ビニ−ルの弁幕を縫合固定し、口辺を覆い、熱と呼気を口から下方へと放出する当てガ−ゼおよびマスクが提案されている。
【先行技術文献】
【特許文献】
【０００３】
【特許文献１】特開２００８−１３６８２６号公報
【考案の概要】
【考案が解決しようとする課題】
【０００４】
上記特許文献１の当てガ−ゼおよびマスクは、従来のマスクに対して構造が複雑であるため、製造に手間がかかるとともに耐久性が低くて２、３回くらいしか再利用ができない。また、熱と呼気とを放出する隙間の調整もできない。
本考案は、構造が簡素で熱の滞留を抑制できるマスク用補助具を提供することを目的とする。また、隙間の調整が容易な構成も提案する。
【課題を解決するための手段】
【０００５】
上記目的を達成する本考案のマスク用補助具は、マスク本体の内側で口元を覆い、上方の縁が上唇と鼻孔との間に位置した椀状部材と、上記椀状部材の下方に設けられ、呼気を上記マスク本体の外部へと排出させる開放部と、を備えたことを特徴とする。
上記マスク用補助具によれば、椀状部材の縁が上唇と鼻孔との間に位置することで呼気が鼻の方へ向かわないため熱の滞留を防ぐことができる。また、椀状の簡素な構造であるため製造が容易で耐久性も高い。
【０００６】
上記マスク用補助具において、上記椀状部材の下方に張り掛けられて顎と接触することで当該椀状部材の下部を当該顎から離間させて前記開放部を形成する帯状部材を更に備えることが好ましい。帯状部材を備えることにより、椀状部材の強度を高めることができると共に、帯状部材の張りを調整することで開放部の広さを容易に調整することができる。
上記マスク用補助具において、上記椀状部材が発泡樹脂からなることも好ましい。発泡樹脂は柔らかく、装着者に痛みを感じさせない。
【考案の効果】
【０００７】
本考案のマスク用補助具によれば、構造が簡素で耐久性も高い。
【図面の簡単な説明】
【０００８】
【図１】本考案のマスク用補助具の実施形態を示す斜視図である。
【図２】本考案のマスク用補助具の実施形態を示す正面図である。
【図３】本考案のマスク用補助具の実施形態を示す背面図である。
【図４】本考案のマスク用補助具の実施形態を示す下面図である。
【図５】マスク用補助具の使用状態を示す図である。
【考案を実施するための形態】
【０００９】
本考案の実施形態について以下図面を参照して説明する。
図１〜図４は、本考案のマスク用補助具の実施形態を示す図である。図１には斜視図が示され、図２には正面図が示され、図３には背面図が示され、図４には下面図が示されている。
本実施形態のマスク用補助具１００は、椀状部材１０１と帯状部材１０２とを備えている。
椀状部材１０１は、上縁１０３が閉じており、下縁は開いて開放部１０５となっている。また、椀状部材１０１の央部には複数の貫通孔１０４が形成されている。
帯状部材１０２は例えば布製で、椀状部材１０１の下部に両端が接着されて弦のように張り掛けられている。帯状部材１０２は椀状部材１０１の下部が開くことを抑制するので、椀状部材１０１の強度が増して開放部１０５の開口が維持される。
マスク用補助具１００は、このような簡素な構造を有するので製造が容易で耐久性も高い。
【００１０】
椀状部材１０１は柔らかい発泡樹脂からなり、人の顔と接触しても痛みを生じない。発泡樹脂としては例えば発泡ポリエチレンが用いられ、発泡スチロールなどの他の発泡樹脂が用いられても良い。また、発泡樹脂で形成された椀状部材１０１は軽く、アルコールなどによる消毒も容易である。
椀状部材１０１は、人の顔と接触する縁部分以外がプラスチックなどで形成されても良いが、椀状部材１０１の全体が発泡樹脂で一体に形成されることで構造がより簡素となり製造が容易で耐久性が向上する。本実施形態のマスク用補助具１００は、１０〜２０回の使用に耐える。
なお、本実施形態においては、椀状部材１０１の縁部分で発泡樹脂が二重となっていることで強度が高くなっているが、この二重構造は必須ではない。
帯状部材１０２と椀状部材１０１との接着箇所は、面ファスナーなどにより位置調整が可能な構造となっていることが好ましく、帯状部材１０２の張り掛けの強さが調整されることにより、開放部１０５の開口のサイズ調整が可能となる。
【００１１】
図５は、マスク用補助具の使用状態を示す図である。
マスク用補助具１００は、マスク本体２００の内側で口３２０に被せられて用いられる。椀状部材１０１の上縁１０３は、鼻３１０と口３２０との間に接触しており、より詳細には、上唇と鼻孔との間に上縁１０３が位置する。
帯状部材１０２は顎３３０に接触し、マスク本体２００と顎３３０の間で開放部１０５の開口を維持する。顎３３０と椀状部材１０１との隙間は、帯状部材１０２の調整によって容易に調整可能である。
【００１２】
口３２０から出た呼気は椀状部材１０１の上縁１０３によって鼻３１０側への移動が阻止されて椀状部材１０１に沿って下方へ向かい、開放部１０５からマスク本体２００の外部へと排出される。このため、呼気による熱が鼻３１０の周辺やマスク本体２００に覆われた内部に滞留せず、温度は低く保たれる。
布マスクなどによるウイルスの侵入阻止力は低く、マスクの着用目的は主に飛沫の飛散防止であるため、開放部１０５の開口から外気が入ってきても構わない。
椀状部材１０１の央部に形成された貫通孔１０４は、マスク本体２００を介した吸気の流入に寄与すると共に、発声時にマスク本体２００外へと声を通す役目も有する。
なお、鼻３１０の低い使用者の場合、椀状部材１０１によって口３２０周辺が出っ張るような見た目を緩和するために、椀状部材１０１の材料と同様の材料からなる８ｍｍ×５０ｍｍ程度の切片を、マスク本体２００と鼻３１０との間に位置するようにマスク本体２００の裏側に接着するとよい。これにより、マスク装着時の外観が美しくなる。
【符号の説明】
【００１３】
１００    マスク用補助具
１０１    椀状部材
１０２    帯状部材
１０３    上縁
１０４    貫通孔
１０５    開放部
２００    マスク本体
３１０    鼻
３２０    口
３３０    顎
【図１】
0003227868.tif 000003
【図２】
0003227868.tif 000004
【図３】
0003227868.tif 000005
【図４】
0003227868.tif 000006
【図５】
0003227868.tif 000007